(57)【要約】  本発明は、振動要素（３）、振動要素（３）に操作接続された振動発生器（４）、及び制振材（５）を含むフレーム（２）を備えて、身体をトレーニングするフィットネスマシン（１）に関する。制振材（５）が、振動要素（３）によって生成される振動を選択された程度まで吸収できるように、制振材（５）を設定することができる結果、ユーザーにとって望ましいトレーニング負荷を得ることができる。
2007533358.tif 000002
【特許請求の範囲】
【請求項１】
振動要素（３）、振動要素（３）に操作接続された振動発生器（４）、及び制振材（５）を含むフレーム（２）を備えて、身体をトレーニングするフィットネスマシン（１）において、
制振材（５）が、振動要素（３）によって生成される振動を選択された程度まで吸収できるように、制振材（５）を設定することができる結果、ユーザーにとって望ましいトレーニング負荷を得ることができるフィットネスマシン（１）。
【請求項２】
制振材（５）が少なくとも部分的に取外し得る請求項１に記載のフィットネスマシン。
【請求項３】
フィットネスマシンを使用している時、制振材（５）が振動要素（３）とユーザーの間に配置される請求項１又は２に記載のフィットネスマシン。
【請求項４】
制振材（５）が、振動吸収材料から成る１個以上の板（５ａ、５ｂ、５ｃ）を備える請求項１乃至３のいずれかに記載のフィットネスマシン。
【請求項５】
板（５ａ、５ｂ、５ｃ）が、互いに止着され得る請求項４に記載のフィットネスマシン。
【請求項６】
制振材（５）が、異なる振動吸収能力を有する板（５ａ、５ｂ、５ｃ）を備える請求項４又は５に記載のフィットネスマシン。
【請求項７】
制振材（５）が、厚さが振動吸収レベルを決定する３個の板（５ａ、５ｂ、５ｃ）を備えると共に、３個の板（５ａ、５ｂ、５ｃ）の厚さの比が約１：０．５：０．２５である請求項６に記載のフィットネスマシン。
【請求項８】
トレーニング負荷が、好ましくは１Ｇと６Ｇの間、より好ましくは１．６Ｇと３．２Ｇの間で調節自在である請求項１乃至７のいずれかに記載のフィットネスマシン。
【請求項９】
振動要素（３）が、大略水平に延在する板を備える請求項１乃至８のいずれかに記載のフィットネスマシン。
【請求項１０】
振動要素（３）が、２０Ｈｚと８０Ｈｚの間、好ましくは２５Ｈｚと６０Ｈｚの間でより好ましくは３０Ｈｚと４５Ｈｚの間の振動周波数で振動できるように、振動発生器（４）の周波数が調節自在である請求項１乃至９のいずれかに記載のフィットネスマシン。
【請求項１１】
フレーム（２）が、ユーザーが握ることのできる支柱（６）を備える請求項１乃至１０のいずれかに記載のフィットネスマシン。
【請求項１２】
支柱（６）が、トレーニングデータを示すことのできる表示装置（８）を備える請求項１１に記載のフィットネスマシン。
【請求項１３】
請求項１乃至１２のいずれかに記載のフィットネスマシン（１）に用いられる制振材（５）。
【請求項１４】
振動吸収材料から成る少なくとも２個の板（５ａ、５ｂ、５ｃ）、特に、異なる振動吸収能力を有する板を備える請求項１３に記載の制振材。
【請求項１５】
厚さが振動吸収レベルを決定する３個の板（５ａ、５ｂ、５ｃ）を備えると共に、３個の板（５ａ、５ｂ、５ｃ）の厚さの比が約１：０．５：０．２５である請求項１４に記載の制振材。
【発明の詳細な説明】
【技術分野】
【０００１】
本発明は、振動要素、及び振動要素に操作接続された振動発生器を含むフレームを備えて、身体をトレーニングするフィットネスマシンに関する。
【背景技術】
【０００２】
このようなフィットネスマシンは、１９６０年代から知られており、一流スポーツ選手や損傷から回復中の人等の人々によってしばしば使用されている。
【０００３】
冒頭に記載した型式の公知のフィットネスマシンは、中でも、パワープレート（登録商標）の名前で市販されている。この公知のフィットネスマシンは、設置面に近接して低く配置されたフレーム上に載置された振動板で形成されることにより、ユーザーは、トレーニング中に振動板上に立ったり他の位置を取ることができる。この場合、振動板は、ユーザーの身体にエネルギーとして伝達される振動を発生する。その結果として発生される機械的刺激は、振動板の設定周波数に応じて毎秒ある回数だけ発生する、いわゆる伸展反射を生成する。この結果、筋肉が連続的に非常に強く緊張させられる。このような振動板の使用は、短いトレーニング時間だけ使用する時は非常に大きな効果を生むと共に、従来のトレーニング方法によるよりも運動系の緊張が少ないことが知られている。身体の振動刺激の有益な効果は、中でも、ジャーナル・オブ・スポーツ・サイエンシズ（Journal of Sports Sciences）１９９９、１７、ｐｐ.１７７−１８２に記載されている。
【発明の開示】
【発明が解決しようとする課題】
【０００４】
上記の公知のフィットネスマシンの問題点は、少なくとも移動ストローク、即ち、振動中の移行距離を適合させることなく、トレーニング負荷を所望レベルに変動できないことである。
【０００５】
本発明の目的は、上記問題点及び他の問題点を解決することである。本発明の別の目的は、上記問題点及び他の問題点に対する安価で簡単な解決をもたらすことである。
【課題を解決するための手段】
【０００６】
その目的のために、本発明は、振動要素、振動要素に操作接続された振動発生器、及び制振材を含むフレームを備えて、身体をトレーニングするフィットネスマシンにおいて、制振材が、振動要素によって生成される振動を選択された程度まで吸収できるように、制振材を設定することができる結果、ユーザーにとって望ましいトレーニング負荷を得ることができるフィットネスマシンを提供する。
【０００７】
本発明にかかるフィットネスマシンは、トレーニング負荷をユーザーの要求に合わせて調整することを非常に簡単に、且つ、スマートに可能にする。これは、異なるトレーニング負荷の異なる人々が１台の同じフィットネスマシンを使用する、例えば、体育大学でフィットネスマシンが使用される場合に特に好都合である。
【０００８】
本発明にかかるフィットネスマシンのフレームは、多くのやり方で設計することができる。フレームは、一般に、振動要素と振動要素に操作接続された振動発生器を収納及び支持するのに役立つ。
【０００９】
本発明にかかるフィットネスマシンの振動発生器は、期待する効果が得られる限り、多くのやり方で設計することができる。振動発生器は、一般に、例えば、天然ゴムや合成ゴム又は他の適当なプラスチック等の振動吸収材料から成る。
【００１０】
当業者は、「トレーニング負荷」の意味、即ち、本発明にかかるフィットネスマシン上で行うエクササイズのむずかしさをすぐに理解するだろう。
【００１１】
もし望ましければ、上記の制振材の他に、本発明にかかるフィットネスマシンのフレームには、その下側に、本発明にかかるフィットネスマシンの使用中に床への損傷を防止するための振動吸収手段を設けることができる。当業者は、これらの振動吸収手段が制振材と異なる目的を果たすものであるから、振動吸収手段が制振材と同じではないことをすぐに理解するだろう。
【００１２】
本発明の好ましい実施の形態にかかるフィットネスマシンでは、制振材が少なくとも部分的に取外し得る。これは、制振材の振動吸収能力の一部を除去できる結果、異なるトレーニング負荷を得ることができることを意味する。
【００１３】
フィットネスマシンを使用している時、制振材が振動要素とユーザーの間に配置されることにより、振動が効率的に吸収される。
【００１４】
本発明にかかる非常に有利な実施の形態にかかるフィットネスマシンでは、制振材が、振動吸収材料から成る１個以上の板を備える。
【００１５】
所望の数の板を除去又は追加することにより、所望のトレーニング負荷を簡単に得ることができる。ここで、例えば、ベルクロ（登録商標）、スナップファスナー等により板が互いに止着され得ることが好ましい。これは、使用中のフィットネスマシンからの１個以上の板の無論望ましくない離脱を防止する。
【００１６】
本発明の非常にスマートな実施の形態にかかるフィットネスマシンでは、制振材が、異なる振動吸収能力を有する板を備える。好ましくは、制振材が、厚さが振動吸収レベルを決定する３個の板を備えると共に、３個の板の厚さの比が約１：０．５：０．２５である。
これは、トレーニング負荷を高精度に簡単に選択できる結果、損傷の危険が最小化されることを意味する。
【００１７】
当業者は、本発明にかかるフィットネスマシンのトレーニング負荷が原理上、広範囲で調節自在であることを理解するだろう。中でも、ベルギー、ルーベンのカトリック大学で使用される型式のアクセルレータで測定される時に、トレーニング負荷が、好ましくは１Ｇと６Ｇの間、より好ましくは１．６Ｇと３．２Ｇの間で調節自在である場合に、非常に良好なトレーニング結果が得られる。
【００１８】
振動要素が、又、大略水平に延在する板を備えることが好ましい。これは、本発明にかかるフィットネスマシン上でトレーニング中にユーザーが快適な位置を取ることを可能にする。振動要素の板は、丸、正方形、長方形等の所望の断面を有し得る。
【００１９】
振動要素が、２０Ｈｚと８０Ｈｚの間、好ましくは２５Ｈｚと６０Ｈｚの間の振動周波数で振動できるように、振動発生器の周波数が調節自在である場合に好都合であることが判明した。振動要素が３０Ｈｚと４５Ｈｚの間の振動周波数で振動できるように、振動発生器が設定される場合に、最高のトレーニング結果が得られることが判明した。
【００２０】
本発明にかかるフィットネスマシンにおいて、フレームが、ユーザーが握ることのできる支柱を備えることが更に好ましい。支柱が、好ましくは、トレーニングデータを示すことのできる表示装置を備える。
【００２１】
本発明は、又、本発明にかかるフィットネスマシンに明らかに用いられる制振材に関する。
【００２２】
本発明にかかる制振材の大きな利点は、もし望ましければ、制振材が、既存のフィットネスマシンに殆ど又は全く修正を施さずに既存のフィットネスマシンに使用できることである。
【００２３】
制振材が、好ましくは、ゴム等の振動吸収材料から成る少なくとも２個の板、特に、異なる振動吸収能力を有する板を備える。より好ましくは、制振材が、厚さが振動吸収レベルを決定する３個の板を備えると共に、３個の板の厚さの比が約１：０．５：０．２５である。
【発明を実施するための最良の形態】
【００２４】
図１は、振動により身体をトレーニングするフィットネスマシンを正しい相関関係で示し、このフィットネスマシンは、一般に、参照番号１で表される。フィットネスマシン１は、振動要素３、及び振動要素３に操作接続された振動発生器４を含むフレーム２を含む。図示の実施の形態において、振動要素３は、大略水平に延在する板で形成されるように設計されている。
【００２５】
フィットネスマシン１は、更に、制振材５を含む。制振材５は、振動要素３によって発生される振動を選択した吸収レベルまで吸収できるように設定される結果、ユーザーの所望するトレーニング負荷を得ることができる。この目的のために、制振材５は、３個のばらばらの振動吸収板５ａ、５ｂと５ｃ（図２参照）で形成されるように設計され、振動吸収板５ａ、５ｂと５ｃの厚さが振動吸収のレベルを決定する。振動吸収板５ａ、５ｂと５ｃは、例えば、ゴムから成る。
【００２６】
振動吸収板５ａ、５ｂと５ｃ又はこれら振動吸収板の組合せを適当に選択することによりトレーニング負荷を正確に調整するために、振動吸収板５ａ、５ｂと５ｃの厚さの比は約１：０．５：０．２５である。当業者は、振動吸収板５ａ、５ｂと５ｃが異なる厚さを有し得ることを理解するだろう。更に、制振材５は、又、３個の代わりに１個、２個又は４個以上の振動吸収板を含み得る。
【００２７】
図２に明示するように、振動吸収板５ａ、５ｂと５ｃは、ベルクロ（登録商標）１０によって互いに止着されている。
フィットネスマシン１のフレーム２は、更に、ユーザーがトレーニング中に握ることのできるハンドル７を設けた支柱６を備える。支柱には、更に、トレーニング時間、消費カロリー等のトレーニングデータを読取ることのできる表示装置８が設けられる。
【００２８】
床１１を損傷から保護するために、フィットネスマシン１の下側にはゴム台足９が設けられる。当業者は、これらの振動吸収手段９が、制振材５と異なる目的を有するから、制振材５と同じではないことをすぐに理解するだろう。
【００２９】
フィットネスマシン１を使用する時、ユーザーは、振動要素３上に立って、支柱６のハンドル７を握る。この場合、振動発生器４によって振動要素３に発生される振動は、ユーザーの身体の筋系によって吸収される結果、身体に所望の伸展反射が生じる。上述したように、本発明の実施において、ユーザーは、一般に、振動要素３の３０Ｈｚと４５Ｈｚの間にある振動周波数でトレーニングする。この場合、振動吸収板５ａ、５ｂと５ｃを適当に選択することにより、トレーニング負荷は、一般に、１Ｇと６Ｇの間の値、好ましくは、１．６Ｇと３．２Ｇの間の値に設定される。経験を積んでいないユーザーは全ての振動吸収板５ａ、５ｂと５ｃを振動要素３上に載置する一方、フィットネスが高レベルのユーザーは最も薄い振動吸収板５ｃだけを使用するだろう。
【図面の簡単な説明】
【００３０】
【図１】本発明にかかるフィットネスマシンの概略断面図である。
【図２】図１のフィットネスマシンの制振材の拡大断面図である。
【符号の説明】
【００３１】
１  フィットネスマシン
２  フレーム
３  振動要素
４  振動発生器
５  制振材
６  支柱
７  ハンドル
８  表示装置
９  ゴム台足
【図１】
2007533358.tif 000003
【図２】
2007533358.tif 000004
【国際調査報告】
2007533358.tif 000005
2007533358.tif 000006